(57)【要約】【課題】従来のファンモータにおいては、ファンモータとは別にゴム製の保護ケースを設ける構造となっていたため、装置の小型化を図ることが難しく、また、使用される部品の数が多くて不経済であった。【解決手段】ファン５が設けられ且つ電力の供給を受けて回転駆動される駆動部の全体を覆うケース６を備えている。ケース６は、ファン５によって吸気が行われる吸気口２５と、ファン５によって排気が行われる排気口２７と、を有し、そのケース６を弾性部材によって形成した。【選択図】図１
2010246244.tif 000002
【特許請求の範囲】
【請求項１】
ファンが設けられた回転部と固定部を有する駆動部の全体を覆うと共に、
前記ファンによって吸気が行われる吸気口と、前記ファンによって排気が行われる排気部と、を有するケースを弾性部材によって形成した
遠心ファンモータ用外装ケース。
【請求項２】
前記弾性部材はゴムである
請求項１記載の遠心ファンモータ用外装ケース。
【請求項３】
前記ケースが一体成形されている
請求項１記載の遠心ファンモータ用外装ケース。
【請求項４】
前記ケースの前記吸気口と対向する面にスリットを設けた
請求項１記載の遠心ファンモータ用外装ケース。
【請求項５】
前記ケースに、前記駆動部を搭載するモータベースが収納されるベース収納部を設けた
請求項１記載の遠心ファンモータ用外装ケース。
【請求項６】
固定部と回転部を有する駆動部と、
前記回転部に設けたファンと、
前記駆動部の全体を覆うケースと、を備え、
前記ケースは、前記ファンによって吸気が行われる吸気口と、前記ファンによって排気が行われる排気口と、を有し、
前記ケースを弾性部材によって形成した
遠心ファンモータ。
【請求項７】
前記弾性部材はゴムである
請求項６記載の遠心ファンモータ。
【請求項８】
前記ケースが一体成形されている
請求項６記載の遠心ファンモータ。
【請求項９】
前記ケースの前記吸気口と対向する面にスリットを設けた
請求項６記載の遠心ファンモータ。
【請求項１０】
前記ケースに、前記駆動部を搭載するモータベースが収納されるベース収納部を設けた
請求項６記載の遠心ファンモータ。
【請求項１１】
遠心ファンモータを備え、
前記遠心ファンモータは、
固定部と回転部を有する駆動部と、前記回転部に設けたファンと、前記駆動部の全体を覆うケースと、を有し、
前記ケースは、前記ファンによって吸気が行われる吸気口と、前記ファンによって排気が行われる排気口と、を有し、
前記ケースを弾性部材によって形成した
遠心ファンモータ搭載電子機器。
【請求項１２】
ファンを有する駆動部を搭載したモータベースのベース収納部が設けられると共に前記駆動部の全体を覆い、前記ファンによって吸気が行われる吸気口と、前記ファンによって排気が行われる排気口と、を有するケースを弾性部材によって形成した
軸流ファンモータ用外装ケース。
【請求項１３】
前記弾性部材はゴムである
請求項１２記載の軸流ファンモータ用外装ケース。
【請求項１４】
前記ケースが一体成形されている
請求項１２記載の軸流ファンモータ用外装ケース。
【請求項１５】
前記ケースに、前記吸気口と前記排気口とを連通するスリットを設けた
請求項１２記載の軸流ファンモータ用外装ケース。
【請求項１６】
モータベースに固定された固定部と、
前記固定部によって回転自在に支持される回転部と、
前記回転部に設けたファンと、
前記モータベースのベース収納部を有し且つ前記固定部と前記回転部と前記ファンの全体を覆うケースと、を備え、
前記ケースは、前記ファンによって吸気が行われる吸気口と、前記ファンによって排気が行われる排気口と、を有し、
前記ケースを弾性部材によって形成した
軸流ファンモータ。
【請求項１７】
前記弾性部材はゴムである
請求項１６記載の軸流ファンモータ。
【請求項１８】
前記ケースが一体成形されている
請求項１６記載の軸流ファンモータ。
【請求項１９】
前記ケースに、前記吸気口と前記排気口とを連通するスリットを設けた
請求項１６記載の軸流ファンモータ。
【請求項２０】
軸流ファンモータを備え、
前記軸流ファンモータは、
モータベースに固定された固定部と、
前記固定部によって回転自在に支持される回転部と、
前記回転部に設けたファンと、
前記モータベースのベース収納部を有し且つ前記固定部と前記回転部と前記ファンの全体を覆うケースと、を有し、
前記ケースは、
前記ファンによって吸気が行われる吸気口と、前記ファンによって排気が行われる排気口と、を有し、
前記ケースを弾性部材によって形成した
軸流ファンモータ搭載電子機器。
【発明の詳細な説明】
【技術分野】
【０００１】
本発明は、遠心ファンモータの一部を構成する弾性材料からなる外装ケースと、その外装ケースを有する遠心ファンモータ、及び、その遠心ファンモータを搭載した電子機器に関する。並びに、軸流ファンモータの一部を構成する弾性材料からなる外装ケースと、その外装ケースを有する軸流ファンモータ、及び、その軸流ファンモータを搭載した電子機器に関する。
【背景技術】
【０００２】
従来、各種の電子機器において、冷却用のファンモータが使用されている。この種のファンモータとしては、その構造から分類すると、遠心ファンモータと、軸流ファンモータに大別される。遠心ファンモータは、比速度が１５０〜１０００程度で、静圧が高く、風量が比較的少ないという特性を有しており、高密度に実装されて通風抵抗の大きい電子機器に用いて好適である。一方、軸流ファンモータは、比速度が１０００〜３０００程度で、静圧が低く、風量が比較的多いという特性を有しており、中低密度に実装されて通風抵抗の小さい電子機器に用いて好適である。
【０００３】
このようなファンモータは、回転時に振動を発生するため、その振動を電子機器に伝えないか或いは伝え難いようにするために各種の工夫がなされている。例えば、電子機器の機器本体とファンモータとの間に弾性シートを介在させ、或いは、ファンモータを弾性部材で覆う等の手段が知られている。
【先行技術文献】
【特許文献】
【０００４】
【特許文献１】特開２０００−１６６２０７号公報
【特許文献２】特開２００２−３２９９８８号公報
【０００５】
従来の、ファンモータとしては、例えば、特許文献１に記載されているようなものがある。特許文献１には、コンピュータ、その他の周辺機器等の冷却のために用いるブラシレスファンモータに関するものが記載されている。この特許文献１に係るブラシレスファンモータは、回転ファンと、ステータ電機子と、をケース内に収納したブラシレスファンモータにおいて、ケースは任意の筐体と接触する部分に防振ゴムを備えている、ことを特徴としている。
【０００６】
このような構成を有するブラシレスファンモータ（以下「第１の従来例」という。）によれば、回転ファンが回転することにより発生する振動が、防振ゴムにより吸収され、減衰し、任意の筐体に伝達される。従って、ブラシレスファンモータが原因の振動及び騒音を低減することができる、という効果が期待される。
【０００７】
また、従来のファンモータの第２の例としては、例えば、特許文献２に記載されているようなものもある。特許文献２には、車載用のオーディオセット等に好適なファンモータ保持装置及びこれを備えた車載用電子装置に関するものが記載されている。この特許文献２に係るファンモータ保持装置は、ファンモータの外周を取り囲むように保持する弾性保持ケースと、この弾性保持ケースを支持する支持部材とを備えている。そして、ファンモータを弾性保持ケースを介して支持部材に弾性的に保持させた、ことを特徴としている。
【０００８】
このような構成を有するファンモータ保持装置（以下「第２の従来例」という。）によれば、ファンモータの振動が車載用電子装置の板金部やプリント基板等に伝わり難く、取付け作業が容易なファンモータ保持構造を実現できる、という効果が期待される。
【０００９】
しかしながら、前述した第１及び第２の従来例の何れにおいても、ファンモータとは別に、第１の従来例では防振ゴムを、また、第２の従来例では弾性保護ケースを設け、これら防振ゴム又は弾性保護ケースにファンモータを収容して保持する構造となっていた。即ち、ファンモータのカバーの上に、更に弾性部材を重ね合わせ、その弾性部材でファンモータの振動を取付部に伝えないようにしていた。そのため、防振ゴム又は弾性保護ケースの分だけファンモータ全体の体積が大きなものとなり、装置の小型化を図ることができないばかりでなく、使用される部品の数が多くて不経済であり、組立時の作業性も悪いという問題があった。
【発明の概要】
【発明が解決しようとする課題】
【００１０】
解決しようとする問題点は、従来のファンモータにおいては、ファンモータとは別にゴム製の保護ケースを設ける構造となっていたため、装置の小型化を図ることが難しく、また、使用される部品の数が多くて不経済であるという点である。
【課題を解決するための手段】
【００１１】
本出願の外装ケースは、ファンが設けられた回転部と固定部を有する駆動部の全体を覆うケースを備えている。ケースは、ファンによって吸気が行われる吸気口と、ファンによって排気が行われる排気口と、を有し、そのケースを弾性部材によって形成した。
【００１２】
本出願のファンモータは、固定部と回転部を有する駆動部と、回転部に設けたファンと、駆動部の全体を覆うケースと、を備えている。ケースは、ファンによって吸気が行われる吸気口と、ファンによって排気が行われる排気口と、を有し、そのケースを弾性部材によって形成した。
【００１３】
また、本出願の電子機器は、ファンモータを備え、そのファンモータは、固定部と回転部を有する駆動部と、回転部に設けたファンと、駆動部の全体を覆うケースと、を有している。ケースは、ファンによって吸気が行われる吸気口と、ファンによって排気が行われる排気口と、を有し、そのケースを弾性部材によって形成した。
【発明の効果】
【００１４】
本出願の外装ケース、ファンモータ及びそのファンモータを備えた電子機器によれば、ファンモータの一部をなすケースを弾性部材によって形成する構成とした。そのため、ファンモータ及び電子機器の小型化を図ることができると共に、使用される部品の数を少なくすることができる。従って、部品点数の削減により、組立時の作業性を向上できると共に、コストダウンを図ることができる。
【図面の簡単な説明】
【００１５】
【図１】本発明の遠心ファンモータの第１の実施の例を分解して示す斜視図である。
【図２】図１に示す遠心ファンモータのケースを拡大した斜視図である。
【図３】図１に示す遠心ファンモータのケースの正面図である。
【図４】図３のＸ−Ｘ線断面図である。
【図５】図１に示す遠心ファンモータの組立後の状態を上面側から見た斜視図である。
【図６】図１に示す遠心ファンモータの組立後の状態を底面側から見た斜視図である。
【図７】図５のＹ−Ｙ線拡大断面図である。
【図８】本発明の軸流ファンモータの第１の実施の例を分解して示す斜視図である。
【図９】図８の軸流ファンモータのケースを示すもので、図８Ａは斜視図、図８Ｂは平面図、図８Ｃは正面図、図８Ｄは右側面図、図８Ｅは図８ＢのＺ−Ｚ線断面図である。
【図１０】図８に示す軸流ファンモータの組立後の状態を底面側から見た斜視図である。
【図１１】本発明のファンモータを用いた電子機器の第１の実施の例を示す説明図である。
【発明を実施するための形態】
【００１６】
ファンモータの一部を構成するケースを弾性部材で形成する。これにより、弾性部材の厚みをできる限り厚くして防振効果を高めつつ、装置全体の小型化を図ることができる。しかも、防振効果を持つ弾性部材という材料の特徴を活かし、容易な組立性を実現して、作業性の向上を図ることができる。
【実施例１】
【００１７】
図１〜図７は、本発明のファンモータの第１の実施の例に係る遠心ファンモータ１を示す図である。図１に示すように、本発明の遠心ファンモータ１は、モータベース２と、そのモータベース２に固定される固定部３と、その固定部３に回転自在に支持される回転部４と、その回転部４に設けたファン５と、これらを覆うケース６とから構成されている。
【００１８】
遠心ファンモータ１のモータベース２は、矩形をなす薄い板状の部材からなり、その一面にフレキシブル基板７が貼り付けられて一体的に構成されている。フレキシブル基板７は、モータベース２の上に重ね合わされる当該モータベース２と同様の形状を有する基端部７ａと、図示しないコネクタに接続される接続部７ｂと、その接続部７ｂと基端部７ａとの間を連結する連結部７ｃとを有している。このフレキシブル基板７には、所定形状を有する電気配線が設けられている。そして、図示しないが、基端部７ａの上面に集積回路や抵抗、コンデンサその他の必要な電子部品が搭載されていてもよい。
【００１９】
図７に示すように、モータベース２の一面の略中央部には、筒状に突出する筒軸受部８が一体に設けられている。そのため、フレキシブル基板７の基端部７ａの略中央部には、筒軸受部８が挿通される中央穴が設けられている。この筒軸受部８を中心として固定部３が設けられている。モータベース２の材質としては、例えば、ステンレス鋼やスチール鋼等の金属を用いることができ、また、適当な強度及び剛性を有するエンジニアリングプラスチックやセラミックス等を用いることもできる。
【００２０】
固定部３は、軸受筒１１と、止め板１２と、コイル受け部２１を有するステータヨーク１３と、複数の巻線コイル１４等から構成されている。図７に示すように、軸受筒１１は、軸受穴が中央に貫通したパイプ状の部材からなり、モータベース２の筒軸受部７の穴１５内に収納されている。この軸受筒１１の中央穴に回転軸１６が回転自在に挿通されている。即ち、軸受筒１１は、回転軸１６を回転自在に支持するラジアル軸受である。この軸受筒１１の上に止め板１２が配置されている。止め板１２は、筒軸受部８の上端部に嵌合されており、軸受筒１１が穴１５から抜け出したり、穴１５の内部に充填された潤滑油が漏れ出したりするのを防止している。
【００２１】
筒軸受部８の穴１５の底には、円板状の軸受板１７が配置されている。軸受板１７は、回転軸１６を、その軸方向から支持するスラスト軸受である。軸受筒１１及び軸受板１７としては、公知のスラスト軸受及びラジアル軸受を適宜使用することが可能である。回転軸１６の軸受板１７側には周方向に連続する環状溝が設けられており、その環状溝に嵌合された止め輪１８によって回転軸１６の抜け出しが防止されている。回転軸１６の軸受板１７と反対側の端部は、軸受筒１１及び止め板１２の各穴を貫通して外方へ突出されている。これら軸受筒１１等と同心をなすよう筒軸受部８の外側に、ステータヨーク１３が嵌合されている。
【００２２】
ステータヨーク１３は、中央部に筒軸受部８が挿通される穴を有するリング状の部材からなり、その外周には、巻線コイル１４が装着される複数個（本実施例では６個）のコイル受け部２１が設けられている。６個のコイル受け部２１は、周方向に等間隔に配置されており、各コイル受け部２１に対して、それぞれ１個ずつ合計６個の巻線コイル１４が取り付けられている。ステータヨーク１３の材質としては、例えば、電磁鋼板等の金属製の磁性材料が好適であるが、ソフトフェライト等の軟磁性材料を用いることもできる。
【００２３】
巻線コイル１４は、適当な太さを有するコイル線材を内側から外側に巻いた空心コイルである。これに使用されるコイル線材としては、絶縁材で表面が被覆された導線（絶縁被覆導線）を用いることができる。例えば、エナメルやビニール、ポリウレタン、ポリエステル等からなる絶縁材で表面が被覆された銅線が好適であるが、銅線に替えてアルミニウムやステンレス等、その他の導電性材料を用いることができることは勿論である。
【００２４】
この巻線コイル１４が装着されたステータヨーク１３の上面及び側面を囲うように回転部４が配置されている。回転部４は、固定部３に回転自在に支持されている前記回転軸１６と、この回転軸１６に固定されて一体に回転される回転体２２と、この回転体２２に固定されたマグネット２３等から構成されている。回転体２２は、円形のドーム状に形成された本体部２２ａと、この本体部２２ａの中央に設けられたボス部２２ｂと、本体部２２ａの外周縁に連続して設けられたフランジ部２２ｃとを有している。即ち、回転体２２の本体部２２ａは中央に穴の開いた形状をなしており、その中央にボス部２２ｂが設けられ、その外周縁にフランジ部２２ｃが設けられている。
【００２５】
回転体２２のボス部２２ｂは、本体部２２ａの内側に突出されており、その中央に開口されたボス穴に回転軸１６の先端部が圧入されている。即ち、回転軸１６の、止め板１２を貫通して外側へ突出した部分にボス部２２ｂが嵌合されていて、これにより回転体２２が回転軸１６と一体的に回転自在に構成されている。また、回転体２２のフランジ部２２ｃには多数のファン５が、半径方向外側に延在されて一体に設けられている。各ファン５は、円弧状に湾曲された板体として形成されており、回転体２２と共に回転して送風できるように構成されている。
【００２６】
この回転体２２の内周面に、リング状のマグネット２３が取り付けられている。このマグネット２３の極数は、この実施例で示す巻線コイル１４を６個使用する場合は８極となり、例えば、巻線コイル１４を９個使用する場合は１２極となる。しかし、マグネット２３の極数はこれらの極数に限定されることはなく、適宜設定可能である。このマグネット２３の内側に、略同心円上で略等間隔に配置された６個の巻線コイル１４が対向される。なお、回転体２２の材質としては、例えば、鉄（Ｆｅ）やステンレス（ＳＵＳ）等の磁性体を用いることができる。
【００２７】
ケース６は、外装ケースの第１の具体例を示すもので、図１〜図４に示すような構成を有している。即ち、ケース６は、モータベース２並びにそのモータベース２に固定された固定部３及びその固定部３に組み立てられた回転部４が占める空間部よりも少し大きな空間部を有する矩形の立方体からなる。このケース６は、矩形をなす平面部６ａと、平面部６ａの左右両側に連続する側面部６ｂ、６ｃと、平面部６ａの背面側に連続する背面部６ｄと、両側面部６ｂ、６ｃの底面側に連続する底面部６ｅと、これらの内部に配置された内壁板２４とを有している。
【００２８】
ケース６の平面部６ａには、その略中央部に、円形に形成された吸気口２５が設けられている。この吸気口２５の大きさは、円周方向に整列された多数のファン５の外周縁を結ぶことにより得られる円の直径（ファンの直径）よりも少し小さく設定するとよい。左右の側面部６ｂ、６ｃと背面部６ｄは、それぞれ全体が閉じられている。底面部６ｅは、左側面部６ｂに連続した左底面部６ｅ１と、右側面部６ｃに連続した右底面部６ｅ２とからなり、左右の底面部６ｅ１，６ｅ２間には適当な大きさのスリット２６が設定されている。
【００２９】
このスリット２６は、ケース６を左右方向へ弾性的に撓み変形させ、そのスリット２６を拡げて、そこからケース６内にモータベース２等を入れ込むために設けたものである。従って、適度な強さの曲げ力を加えることによってケース６を左右方向へ撓み変形させることができる寸法であれば、スリット２６の大きさは任意に設定することができる。また、ケース６の正面は大きく開口されており、その開口部が排気口２７を構成している。
【００３０】
ケース６の内壁部２４は、図２〜図４に示すような形状を有している。即ち、内壁部２４は、略円形に湾曲された曲面として形成されているが、その曲面の略中心Ｏ２は、吸気口２５の円の中心Ｏ１から左側面部６ｂ側へ少し（例えば、距離Ｅ）変位するように構成されている。そして、内壁部２４との隙間が狭められた側の入口部において舌部２８を設け、これにより入口側の容積を狭めている。
【００３１】
更に、ケース６の底面部６ｅ側の内部には、モータベース２を収納することができるベース収納部２９が設けられている。ベース収納部２９は、フレキシブル基板７を含むモータベース２の厚み及び大きさ（広さ）に見合う形状及び大きさを有する矩形の空間部として形成されている。
【００３２】
このような形状及び構成を有するケース６は、１つの弾性部材（ブチルゴム系材料）によって形成する。弾性部材の材料としてはゴムが好ましく、特に、ブチルゴムが最も好適である。本明細書でいうブチルゴム系材料とは、ＪＩＳK6397で規定されるブチルゴム、即ち、イソブテンとイソプレンのゴム状共重合体（ＩＩＲ）だけでなく、共重合体の一部の元素が他の元素（例えば、臭素や塩素等のハロゲン）に置換された変性物も含むものとする。また、共重合体におけるイソブテンとイソプレンの重合比率や分子量は、特に限定されるものではない。このような弾性材の減衰率（tanδ）は、０．５以上であることが好ましい。なお、ケース６は、所定の外形形状を有していれば、内部は空洞であってもかまわないが、より大きな防振効果を得たい場合には、内部にも弾性部材を充填しておくことが好ましい。
【００３３】
本発明におけるゴムは、ブチルゴム系材料が好適であるが、これに限定されるものではない。例えば、天然ゴム、アクリルゴム、イソプレンゴム、ウレタンゴム、エチレン・プロピレンゴム、エピクロルヒドリンゴム、クロロプレンゴム、シリコンゴム、スチレン・ブタジエンゴム、フッ素ゴム、ブタジエンゴム等を挙げることができる。また、これらの２種以上のゴムを併用してもよい。更に、本発明におけるゴムには、上記ゴムに加えて、充填剤、加硫剤、加工性改善高分子材料、老化防止剤、酸化防止剤、滑剤、難燃剤等、公知のゴム用添加剤、配合剤を更に含有してもよい。
【００３４】
前記モータベース２と、そのモータベース２に固定される固定部３と、その固定部３に回転自在に支持される回転部４と、ファン５と、これらを覆うケース６とによって遠心ファンモータ１が構成されている。
【００３５】
このような構成を有する遠心ファンモータ１は、例えば、次のようにして組み立てることができるが、必ずしもこの組立手順に限定されるものではない。まず、モータベース２に固定部３を組み立てる。これは、筒軸受部８に、予め６箇所のコイル受け部２１に、それぞれ巻線コイル１４が装着されたステータヨーク１３を取り付ける。そして、各巻線コイル１４のコイル線材の両端を、モータベース２に積層されているフレキシブル基板７に設けた電気配線の所定位置にハンダ付けする。
【００３６】
次に、止め輪１８が装着された回転軸１６を軸受筒１１及び止め板１２の各穴に貫通させる。そして、モータベース２の筒軸受部８の穴１５に軸受板１７と軸受筒１１を挿入し、止め板１２を嵌め込む。次に、軸受筒１１によって固定部３に回転自在に支持されている回転軸１６の、止め板１２から外側へ突出している部分に回転体２２のボス部２２ｂのボス穴を圧入する。これにより、回転部４が固定部３に対して回転自在に支持され、固定部３と回転部４とからなる駆動部がモータベース２に組み立てられる。
【００３７】
次に、駆動部が組み立てられたモータベース２を、ケース６に組み立てる。これは、次のような２つの方法によって行うことができる。
その１は、スリット２６を開いて広くし、ケース６の底面部６ｅ側からモータベース２等を挿入する方法である。この場合は、図６に示すように、まず、ケース６の平面部６ａの左右方向中央部を起点にして左右の底面部６ｅ１，６ｅ２を、破線矢印Ｓ１で示すようにそれぞれ外側に開き、スリット２６の隙間を左右方向に拡げる。これにより、ベース収納部２９の底面部６ｅ側を大きく開放し、破線矢印Ｓ２で示すように駆動部側から、ケース６の空間部内に挿入する。そして、モータベース２をベース収納部２９に差し込む。
【００３８】
そして、モータベース２がベース収納部２９に挿入されると、ケース６の左右の底面部６ｅ１，６ｅ２が、それ自体が持つ復元力によって元の状態に復帰し、スリット２６が当初の狭められた状態に戻る。これにより、駆動部がケース６内の空間部の略中央部に収まり、モータベース２に搭載された駆動部（固定部３と回転部４）をケース６に組み立てる工程が完了する。その結果、図６及び図７に示すように、モータベース２が構成部品の一部を構成する遠心ファンモータ１が得られる。
【００３９】
モータベース２をケース６に組み立てる方法の、その２は、ケース６の正面側に設けた排気口２７からモータベース２等を挿入する方法である。この場合は、図５に示すように、まず、ケース６の排気口２７にフレキシブル基板７を臨ませ、その接続部７ｂからベース収納部２９内にフレキシブル基板７及びモータベース２を差し込む。次いで、破線矢印Ｔで示す方向へ、モータベース２等をスライドさせつつ、底面部６ｅ１，６ｅ２を拡げてスリット２６を開くことにより舌部２８を側方へ弾性的に移動させる。そして、舌部２８を乗り越えさせて、駆動部をベース収納部２９の所定位置まで挿入する。これにより、駆動部がケース６内の空間部の略中央部に収まり、モータベース２に搭載された駆動部をケース６に組み立てる工程が終了する。その結果、図５及び図７に示すように、モータベース２が構成部品の一部をなす遠心ファンモータ１の組立工程が完了する。
【００４０】
このように組み立てられる本発明の遠心ファンモータ１によれば、駆動部に電力を供給して回転部４を回転駆動することにより、回転部４に設けられている多数のファン５が一体に回転する。これにより、ケース６に設けた吸気口２５から外気がケース６内に吸引され、空間部内を回転する際に圧力が高められて、排気口２７から外部に放出される。この際、回転部４の回転によって駆動部に振動が発生するが、その駆動部は、弾性部材としてのゴム（特にブチルゴムが好ましい。）によって形成されたケース６のベース収納部２９に保持されている。
【００４１】
そのため、駆動部によって発生した振動は、その周囲を囲うケース６によって減衰され、制振されるため、その振動が外部に伝達されることがなく、振動の少ない遠心ファンモータ１を提供することができる。しかも、遠心ファンモータ１は、ケース６が駆動部を直接弾性的に保持しており、従来のファンモータのように、ファンモータのカバーの上に更に弾性部材を重ね合わせる構造となっていない。そのため、ケース６の厚みをできるだけ厚くしつつ、遠心ファンモータ１全体の小型化、薄型化を図ることが可能となった。
【実施例２】
【００４２】
図８〜図１０は、本発明のファンモータの第２の実施の例に係る軸流ファンモータ５０を示す図である。図８に示すように、本発明の軸流ファンモータ５０が、前述した遠心ファンモータ１と異なるところは、主に、ケース５１と、モータベース５２、ファン５３及びフレキシブル基板６２であり、固定部３及び回転部４は同一である。そのため、ここでは、前記実施例とは異なるケース５１等について詳細に説明し、同一部分には同一の符号を付して重複した説明を省略する。
【００４３】
軸流ファンモータ５０は、ケース５１と、モータベース５２と、そのモータベース５２に固定される固定部３と、その固定部３に回転自在に支持される回転部４と、その回転部４に設けたファン５３とから構成されている。
【００４４】
軸流ファンモータ５０のケース５１は、外装ケースの第２の具体例を示すもので、図９Ａ〜９Ｅに示すような構成を有している。即ち、ケース５１は、モータベース５２並びにそのモータベース５２に固定された固定部３及びその固定部３に組み立てられた回転部４が占める空間部よりも少し大きな空間部を有する矩形の立方体からなる。このケース５１は、矩形をなす平面部５１ａと、平面部５１ａの左右両側に連続する側面部５１ｂ、５１ｃと、平面部５１ａの背面側に連続する背面部５１ｄと、平面部５１ａに対向される底面部５１ｅと、背面部５１ｄに対向される正面部５１ｆとを有している。
【００４５】
ケース５１の平面部５１ａには、その略中央部に、円形に形成された吸気口２５が設けられている。この吸気口２５の大きさは、円周方向に整列された多数のファン５の外周縁を結ぶことにより得られる円の直径よりも少し小さく設定するとよい。左右の側面部５１ｂ、５１ｃは、それぞれ全体が閉じられている。背面部５１ｄには、フレキシブル基板６２の接続部６２ｂと連結部６２ｃを引き出すための連通穴５７が設けられている。底面部５１ｅには、平面部５１ａの吸気口２５と対向した位置に同様の大きさを有する円形に形成された排気口５４が設けられている。また、正面部５１ｆには、その左右方向の略中央においてこれと直交する上下方向に延在されたスリット５５が設けられている。
【００４６】
このスリット５５は、正面部５１ｆの上端から下端まで連続されていると共に、更に、平面部５１ａ及び底面部５１ｅにも連続されている。即ち、スリット５５の正面部５１ｆの上端は、平面部５１ａにも連続されて吸気口２５まで達している。また、スリット５５の正面部５１ｆの下端は、底面部５１ｅにも連続されて排気口５４まで達している。このスリット５５は、両端面が互いに接触するように構成してもよく、また、両端面間に隙間を設けて互いに接触しない構成としてもよい。
【００４７】
このスリット５５は、当該スリット５５の両側を左右方向に拡げてケース５１の内部を露出させ、その開口部からケース５１内に駆動部が組み立てられたモータベース５２を入れ込むために設けたものである。スリット５５の両端には吸気口２５と排気口５４が連通されているため、ケース５１を前記実施例と同様に弾性部材であるゴム（特にブチルゴムが好適である。）で形成することにより、前記開口部を十分に大きく開口させることができる。
【００４８】
更に、ケース５１の底面部５１ｅ側の内部には、モータベース５２を収納することができるベース収納部５６が設けられている。ベース収納部５６は、フレキシブル基板６２を含むモータベース５２の厚み及び大きさ（広さ）に見合う形状及び大きさを有する矩形の空間部として形成されている。このような形状及び構成を有するケース５１は、１つの弾性部材（ブチルゴム系材料）によって形成する。弾性部材の材料としては、前記ケース２と同様である。即ち、ケース５１の材質としては、ゴムが好ましく、特に、ブチルゴムが最も好適である。
【００４９】
軸流ファンモータ５０のモータベース５２が前記モータベース２と異なるところは、排気口５４に連通される開口穴６１を設けた点である。モータベース５２は、矩形をなす薄い板状の部材からなり、その一面にフレキシブル基板６２が貼り付けられて一体的に構成されている。フレキシブル基板６２は、モータベース５２の上に重ね合わされる当該モータベース５２と同様の形状を有する基端部６２ａと、図示しないコネクタに接続される接続部６２ｂと、その接続部６２ｂと基端部６２ａとの間を連結する連結部６２ｃとを有している。このフレキシブル基板６２には、所定形状を有する電気配線が設けられている。そして、図示しないが、基端部６２ａの上面に集積回路や抵抗、コンデンサその他の必要な電子部品が搭載されていてもよい（下面に設けてもよく、また、上下両面に設けてもよい。）。
【００５０】
このモータベース５２とフレキシブル基板６２の基端部６２ａに、これらの上下面間を貫通する開口穴６１が設けられている。開口穴６１は、この実施例では、周方向に適当な長さだけ連続された３つの円弧状の長穴として形成されている。この開口穴６１の外径は、円周方向に整列された多数のファン５３の外周縁を結ぶことにより得られる円の直径（ファンの外径）と同程度に設定するとよい。また、開口穴６１の内径は、ファンの内径と同程度に設定するとよい。
【００５１】
回転部４は、固定部３に回転自在に支持されている回転軸１６と、この回転軸１６に固定されて一体に回転される回転体６５と、この回転体６５に固定されたマグネット２３等から構成されている。回転体６５は、円形のドーム状に形成された本体部６５ａと、この本体部６５ａの中央に設けられたボス部６５ｂと、本体部６５ａの外周縁に連続して設けられたフランジ部６５ｃとを有している。即ち、回転体６５の本体部６５ａは中央に穴の開いた形状をなしており、その中央にボス部６５ｂが設けられ、その外周縁にフランジ部６５ｃが設けられている。
【００５２】
回転体６５のボス部６５ｂは、本体部６５ａの内側に突出されており、その中央に開口されたボス穴に回転軸１６の先端部が圧入されている。この回転体６５のフランジ部６５ｃには多数のファン５３が、半径方向外側に延在されて一体的に設けられている。各ファン５３は、回転体６５の回転中心に対して適当に捩じられた羽根として形成されており、回転することにより吸気口２５に対向された吸気側から外気を吸引し、その外気を各羽根を通過させて排気側から排気口５４に送風できるようになっている。フランジ部６５ｃの外径は、開口穴６１の内径と同程度の大きさに設定されている。これにより、開口穴６１の内側にファン５３を臨ませ、その開口穴６１を排気口６１として使用する。
【００５３】
前記モータベース５２と、そのモータベース５２に固定される固定部３と、その固定部３に回転自在に支持される回転部４と、ファン５３と、これらを覆うケース５１とによって軸流ファンモータ５０が構成されている。
【００５４】
このような構成を有する軸流ファンモータ５０は、例えば、次のようにして組み立てることができるが、必ずしもこの組立手順に限定されるものではない。まず、モータベース５２に固定部３を組み立てる。これは、筒軸受部８に、予め６箇所のコイル受け部２１に、それぞれ巻線コイル１４が装着されたステータヨーク１３を取り付ける。そして、各巻線コイル１４のコイル線材の両端を、モータベース５２に積層されているフレキシブル基板６２に設けた電気配線の所定位置にハンダ付けする。
【００５５】
次に、止め輪１８が装着された回転軸１６を軸受筒１１及び止め板１２の各穴に貫通させる。そして、モータベース５２の筒軸受部８の穴１５に軸受板１７と軸受筒１１を挿入し、止め板１２を嵌め込む。次に、軸受筒１１によって固定部３に回転自在に支持されている回転軸１６の、止め板１２から外側へ突出している部分に回転体６５のボス部６５ｂのボス穴を圧入する。これにより、回転部４が固定部３に対して回転自在に支持され、固定部３と回転部４とからなる駆動部がモータベース５２に組み立てられる。
【００５６】
次に、駆動部が組み立てられたモータベース５２を、ケース５１に組み立てる。これは、次のようにして行うことができる。
まず、スリット５５を開いて正面部５１ｆを大きく開口させる。即ち、図１０に示すように、ケース５１の正面部５１ｆのスリット５５から両側を、破線矢印Ｕで示すようにそれぞれ外側に開き、スリット５５の隙間を左右方向に拡げる。これにより、ケース５１の内部を大きく開放し、その開口部からケース５１の空間部内に、駆動部が組み立てられているモータベース５２を挿入する。そして、モータベース５２をベース収納部５６に差し込む。
【００５７】
これにより、モータベース５２がベース収納部５６に挿入されると、ケース５１の正面部５１ｆが、それ自体が持つ復元力によって元の状態に復帰し、スリット５５が当初の狭められた状態に戻る。これにより、駆動部がケース５１内の空間部の略中央部に収まり、モータベース５２に搭載された駆動部（固定部３と回転部４）をケース５１に組み立てる工程が完了する。その結果、図１０に示すように、モータベース５２が構成部品の一部を構成する軸流ファンモータ５０が得られる。
【００５８】
このように組み立てられる本発明の軸流ファンモータ５０によれば、駆動部に電力を供給して回転部４を回転駆動することにより、回転部４に設けられている多数のファン５３が一体に回転する。これにより、ケース６に設けた吸気口２５から外気がケース６内に吸引され、ファン５３を通過する際に流速が高められて、吸気口２５に対向設置された排気口５４から外部に放出される。この際、回転部４の回転によって駆動部に振動が発生するが、その駆動部は、弾性部材としてのゴム（特にブチルゴムが好ましい。）によって形成されたケース５１のベース収納部５６に保持されている。
【００５９】
そのため、駆動部によって発生した振動は、その周囲を囲うケース５１によって減衰され、制振されるため、その振動が外部に伝達されることがなく、振動の少ない軸流ファンモータ５０を得ることができる。しかも、軸流ファンモータ５０は、ケース５１が駆動部を直接弾性的に保持しており、従来のファンモータのように、ファンモータのカバーの上に更に弾性部材を重ね合わせる構造となっていない。そのため、ケース５１の厚みをできるだけ厚くしつつ、軸流ファンモータ５０全体の小型化、薄型化を図ることが可能となった。
【００６０】
図１１は、前述した遠心ファンモータ１若しくは軸流ファンモータ５０を使用した電子機器の第１の実施の例を示す携帯電話である。この携帯電話７０は、中空の立方体容器からなるハウジング７１を備えている。ハウジング７１の一面には表示部７２と操作部７３が設けられ、その内部には制御部や電源部等が設けられている。表示部７２は、例えば液晶パネルによって構成されており、キースイッチ等で構成される操作部７３の操作により、各種の情報が表示されるようになっている。
【００６１】
この携帯電話７０のハウジング７１の内部に、前述した遠心ファンモータ１（或いは軸流ファンモータ５０）が収納されている。この遠心ファンモータ１は、制御部の一部として構成されている配線基板７４に取り付けられて冷却ファン装置として用いられている。即ち、遠心ファンモータ１は、ハウジング７１の空間内の空気を移動させることにより、制御部が駆動することによって発生する熱を、外部に排出させ、制御部等の温度上昇を抑える役割りを果たしている。
【００６２】
以上説明したように、本発明によれば、防振効果を有する弾性部材、特にゴム（特にブチルゴム）の特性を活かし、容易な組立性を実現できると共に、組立時において取付け方向が制限されないため、高い取付自由度を有するという効果を得ることができる。具体的には、次の如くである。
１．装置の小型化、防振効果
ケースを弾性部材で形成すると共に、そのケースをファンモータの構成要素の一部としたため、ケースの厚みをできる限り厚くして防振効果を高めつつ、装置全体の小型化、薄型化を図ることができる。
【００６３】
２．電子機器への取り付けに対する高い自由度
ケースは、ファンモータを包み込むように配されるため、駆動部から発生する振動を、Ｘ軸、Ｙ軸及びＺ軸の全方向に対して減衰させることができる。そのため、電子機器への取付時、空気の流入・流出経路を確保した状態で、ファンモータを上下、左右或いは前後から挟むようにして取り付けることが可能となり、取付形態における高い自由度を持つことができる。
【００６４】
３．容易な組立性
ケースにスリットを設けたことにより、ケースが弾性部材で形成されていることを利用して、駆動部が搭載されたモータベースを容易に組み立てることができる。更に、ケースにベース収納部を設ける構成とすることにより、モータベースを介して駆動部を所定位置に確実に固定できると共に、その駆動部を所定位置に位置決めして、駆動部の位置ずれを防止することができる。
【００６５】
本発明は、前述しかつ図面に示した実施の形態に限定されるものではなく、その要旨を逸脱しない範囲内で種々の変形実施が可能である。即ち、本発明によれば、小形、薄型で部品点数が少なく、組立性も良好であって、低価格で信頼性の高いファンモータを提供することができる。また、前記実施例においては、電子機器として携帯電話に適用した例について説明したが、本発明はこれに限定されるものではない。例えば、パーソナルコンピュータ、デジタルカメラ、ビデオカメラ、携帯型音楽プレーヤ、ＰＤＡ（電子手帳）等に適用することができる。
【符号の説明】
【００６６】
１…遠心ファンモータ、  ２，５２…モータベース、  ３…固定部、  ４…回転部、  ５，５３…ファン、  ６…ケース（遠心ファンモータ用外装ケース）、  ７，６２…フレキシブル基板、  ８…筒軸受部、  １１…軸受筒、  １６…回転軸、  ２２，６５…回転体、  ２５…吸気口、  ２６，５５…スリット、  ２７，５４…排気口、  ２８…舌部、  ２９，５６…ベース収納部、  ５０…軸流ファンモータ、  ５１…ケース（軸流ファンモータ用外装ケース）、  ７０…携帯電話（ファンモータ搭載電子機器）
【図１】
2010246244.tif 000003
【図２】
2010246244.tif 000004
【図３】
2010246244.tif 000005
【図４】
2010246244.tif 000006
【図５】
2010246244.tif 000007
【図６】
2010246244.tif 000008
【図７】
2010246244.tif 000009
【図８】
2010246244.tif 000010
【図９】
2010246244.tif 000011
【図１０】
2010246244.tif 000012
【図１１】
2010246244.tif 000013